(57)【特許請求の範囲】
【請求項１】
少なくとも発光層を含む有機ＥＬにより構成され、待ち受け画面の第１の表示領域に、少なくとも１つ以上の指示情報を表示する表示手段と、
前記表示手段の点灯状態を第１の状態から第２の状態にするまでの時間である照明時間を設定する設定手段と、
前記表示手段の点灯状態が前記第１の状態になされてから、前記設定手段により設定された前記照明時間が経過したか否かを判定する判定手段と、
前記判定手段により前記表示手段の点灯状態が前記第１の状態になされてから、前記設定手段により設定された前記照明時間が経過したと判定された場合、前記表示手段による点灯状態を前記第１の状態から前記第２の状態にするとともに、前記表示手段により前記第１の表示領域に表示されている前記指示情報の表示を消去し、前記指示情報が表示される背景部分を所定の色で表示するように制御する表示制御手段とを備えることを特徴とする情報処理装置。
【請求項２】
前記表示制御手段は、前記待ち受け画面上に所定の壁紙以外が表示されている場合、前記第２の状態への移行とともに前記第１の表示領域に表示されている前記指示情報の表示を消去するように制御することを特徴とする請求項１に記載の情報処理装置。
【請求項３】
前記待ち受け画面上に表示される前記所定の壁紙は、デフォルトの壁紙であることを特徴とする請求項１に記載の情報処理装置。
【請求項４】
少なくとも発光層を含む有機ＥＬにより構成され、待ち受け画面の第１の表示領域に、少なくとも１つ以上の指示情報を表示する表示手段と、
前記表示手段の点灯状態を第１の状態から第２の状態にするまでの時間である照明時間を設定する設定手段と、
前記表示手段の点灯状態が前記第１の状態になされてから、前記設定手段により設定された前記照明時間が経過したか否かを判定する判定手段と、
前記判定手段により前記表示手段の点灯状態が前記第１の状態になされてから、前記設定手段により設定された前記照明時間が経過したと判定された場合、前記表示手段による点灯状態を前記第１の状態から前記第２の状態にするとともに、前記表示手段により前記第１の表示領域に表示されている前記指示情報の表示を消去し、放送局から放送波を受信中である場合、前記表示手段による点灯状態を前記第１の状態に維持したまま、所定の時間の経過とともに前記表示手段により前記第１の表示領域に表示されている前記指示情報の表示を消去するように制御する表示制御手段とを備えることを特徴とする情報処理装置。
【請求項５】
前記表示制御手段は、前記情報処理装置にて放送局から放送波を予約視聴以外にて受信中である場合、第１の所定時間の経過とともに前記表示手段により前記第１の表示領域に表示されている前記指示情報の表示を消去するように制御する一方、前記情報処理装置にて放送局から放送波を予約視聴にて受信中である場合、第１の所定時間と異なる第２の所定時間の経過とともに前記表示手段により前記第１の表示領域に表示されている前記指示情報の表示を消去するように制御することを特徴とする請求項４に記載の情報処理装置。
【発明の詳細な説明】
【技術分野】
【０００１】
本発明は情報処理装置に係り、特に、ディスプレイとして有機ＥＬを用いた情報処理装置に関する。
【背景技術】
【０００２】
最近、携帯電話機やＰＤＡ（Personal Digital Assistant）、ディジタルカメラなどの種々の電子機器の中で、今まで主流であったＴＦＴ（Thin Film Transistor）液晶ディスプレイではなく、有機ＥＬをディスプレイとして用いたものが提案されている。有機ＥＬ（Electronic Luminescent）は、電圧をかけると発光する有機物質を利用して表示するディスプレイである。この有機ＥＬでは、例えばジアミン類などの有機体をガラス面に蒸着させ、それ自体が発光する。そのため、ディスプレイの厚みを従来よりも薄くすることが可能となる。
【０００３】
有機ＥＬを用いたディスプレイでは、高輝度で鮮やかな画面表示が得られる半面、有機ＥＬの発光層自体が自ら発光するという構造上、画面内の同一位置に同じ画像が表示され続けると、発光の繰り返しに伴って、その画像領域に含まれる画素を構成する発光層の励起状態が徐々に低下していき、それらの画素が劣化してしまう。
【０００４】
特に、携帯電話機の場合、一般的に、待ち受け画面などの画面最上段に電界強度や電池残量などに関するアイコンを表示する表示領域が設けられ、この表示領域に表示される電界強度や電池残量などに関するアイコンが常時表示される。そのため、電界強度や電池残量などに関するアイコンが表示される表示領域に含まれる画素は、他の表示領域に比べて劣化しやすくなってしまう。
【０００５】
そこで、有機ＥＬを用いたディスプレイが搭載された携帯電話機では、電界強度や電池残量などに関するアイコンが所定の表示領域に表示されてから、予め設定された所定の時間が経過すると、これらのアイコンの表示を消去する技術が提案されている。
【０００６】
なお、表示画面上のアイコンの表示の制御に関連する技術として、例えばバックグラウンドで処理するイベントの発生をユーザに通知することができる技術が提案されている（例えば特許文献１参照）。
【特許文献１】特開２００３−１９８６６５号公報
【発明の開示】
【発明が解決しようとする課題】
【０００７】
ところで、最近の携帯電話機では、有機ＥＬを用いたディスプレイが搭載された携帯電話機に限られず、ディスプレイの点灯状態に関して以下のような制御がなされている。すなわち、ディスプレイの点灯状態が明るく点灯している状態（以下、「全点灯状態」という。）から、ユーザによる操作がなされずに予め設定された所定の時間が経過すると、発光輝度を落とす等により全点灯状態に比べて暗めにした状態であるが、ディスプレイ上の文字やアイコンが識別可能な点灯状態（以下、「パーシャル状態」という。）に遷移し、さらにユーザによる操作がなされずに予め設定された所定の時間が経過すると、ディスプレイ表示が行われない状態（以下、「消灯状態」という。）に遷移するように制御される。
【０００８】
しかしながら、従来の、有機ＥＬを用いたディスプレイが搭載された携帯電話機においては、電界強度や電池残量などに関するアイコンの消去タイミングと、ディスプレイの点灯状態の遷移のタイミングがばらばらに制御されているため、場合によっては、ディスプレイの点灯状態が全点灯状態であるにもかかわらず、電界強度や電池残量などに関するアイコンが時間経過のために消去されてしまう。このような場合、ユーザが電界強度や電池残量などの確認をすることができなくなってしまい、ユーザにとって使い勝手が悪いという課題があった。
【０００９】
本発明は、このような状況に鑑みてなされたものであり、有機ＥＬを用いたディスプレイの劣化を抑制しつつ、ユーザビリティを向上させることができる情報処理装置を提供することを目的とする。
【課題を解決するための手段】
【００１０】
本発明の情報処理装置は、上述した課題を解決するために、少なくとも発光層を含む有機ＥＬにより構成され、待ち受け画面の第１の表示領域に、少なくとも１つ以上の指示情報を表示する表示手段と、表示手段の点灯状態を第１の状態から第２の状態にするまでの時間である照明時間を設定する設定手段と、表示手段の点灯状態が第１の状態になされてから、設定手段により設定された照明時間が経過したか否かを判定する判定手段と、判定手段により表示手段の点灯状態が第１の状態になされてから、設定手段により設定された照明時間が経過したと判定された場合、表示手段による点灯状態を第１の状態から第２の状態にするとともに、表示手段により第１の表示領域に表示されている指示情報の表示を消去するように制御する表示制御手段とを備えることを特徴とする。
【発明の効果】
【００１１】
本発明によれば、有機ＥＬを用いたディスプレイの劣化を抑制しつつ、ユーザビリティを向上させることができる。
【発明を実施するための最良の形態】
【００１２】
以下、本発明の実施の形態について、図面を参照しながら説明する。
【００１３】
図１は、本発明に係る情報処理装置として適用可能な携帯電話機１の外観の構成を表している。なお、図１（Ａ）は、携帯電話機１を約１８０度に見開いたときの正面から見た外観の構成を表しており、図１（Ｂ）は、携帯電話機１を見開いたときの側面から見た外観の構成を表している。
【００１４】
図１（Ａ）および（Ｂ）に示されるように、携帯電話機１は、中央のヒンジ部１１を境に第１の筐体１２と第２の筐体１３とがヒンジ結合されており、ヒンジ部１１を介して矢印Ｘ方向に折り畳み可能に形成される。携帯電話機１の内部の所定の位置には、送受信用のアンテナ（後述する図３のアンテナ３１）が設けられており、内蔵されたアンテナを介して基地局（図示せず）との間で電波を送受信する。
【００１５】
第１の筐体１２には、その表面に「０」乃至「９」の数字キー、発呼キー、リダイヤルキー、終話・電源キー、クリアキー、および電子メールキーなどの操作キー１４が設けられており、操作キー１４を用いて各種指示を入力することができる。
【００１６】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられたメインディスプレイ１７に表示されている電話帳リストや電子メールのスクロール動作、簡易ホームページのページ捲り動作および画像の送り動作などの種々の動作を実行する。
【００１７】
また、確定キーを押下することにより、種々の機能を確定することができる。例えば第１の筐体１２は、ユーザによる十字キーの操作に応じてメインディスプレイ１７に表示された電話帳リストの複数の電話番号の中から所望の電話番号が選択され、確定キーが第１の筐体１２の内部方向に押圧されると、選択された電話番号を確定して電話番号に対して発呼処理を行う。
【００１８】
さらに、第１の筐体１２には、十字キーと確定キーの左隣に電子メールキーが設けられており、電子メールキーが第１の筐体１２の内部方向に押圧されると、メールの送受信機能を呼び出すことができる。十字キーと確定キーの右隣には、ブラウザキーが設けられており、ブラウザキーが第１の筐体１２の内部方向に押圧されると、Ｗｅｂページのデータを閲覧することが可能となる。
【００１９】
また、第１の筐体１２には、操作キー１４の下部にマイクロフォン１５が設けられており、マイクロフォン１５によって通話時のユーザの音声を集音する。また、第１の筐体１２には、携帯電話機１の操作を行うサイドキー１６が設けられている。
【００２０】
なお、第１の筐体１２は、背面側に図示しないバッテリパックが挿着されており、終話・電源キーがオン状態になると、バッテリパックから各回路部に対して電力が供給されて動作可能な状態に起動する。
【００２１】
一方、第２の筐体１３には、その正面にメインディスプレイ１７が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図２のＣＣＤカメラ２０）で撮像した画像、外部のコンテンツサーバ（図示せず）より受信したコンテンツ、メモリカード（後述する図３のメモリカード４６）に記憶されているコンテンツを表示することができる。また、メインディスプレイ１７の上部の所定の位置にはレシーバ（受話器）１８が設けられており、これにより、ユーザは音声通話することが可能である。なお、携帯電話機１の所定の位置には、レシーバ１８以外の音声出力部としてのスピーカ（図示せず）も設けられている。
【００２２】
また、第１の筐体１２と第２の筐体１３の内部の所定の位置には、携帯電話機１の状態を検知するための磁気センサ１９a、１９b、１９c、および１９dが設けられる。なお、メインディスプレイ１７は、例えば有機ＥＬにより構成されるディスプレイである。
【００２３】
図２は、本発明に係る情報処理装置として適用可能な携帯電話機１の他の外観の構成を表している。図２の携帯電話機１の状態は、図１の携帯電話機１の状態から矢印Ｘ方向に回動させた状態である。なお、図２（Ａ）は、携帯電話機１を閉じたときの正面から見た外観の構成を表しており、図２（Ｂ）は、携帯電話機１を閉じたときの側面から見た外観の構成を表している。
【００２４】
第２の筐体１３の上部には、ＣＣＤカメラ２０が設けられており、これにより、所望の撮影対象を撮像することができる。ＣＣＤカメラ２０の下部には、サブディスプレイ２１が設けられており、現在のアンテナの感度のレベルを示すアンテナピクト、携帯電話機１の現在の電池残量を示す電池ピクト、現在の時刻などが表示される。なお、サブディスプレイ２１も、メインディスプレイ１７と同様に、有機ＥＬにより構成されるディスプレイである。
【００２５】
図３は、本発明に係る情報処理装置に適用可能な携帯電話機１の内部の構成を表している。図示せぬ基地局から送信されてきた無線信号は、アンテナ３１で受信された後、アンテナ共用器（ＤＵＰ）３２を介して受信回路（ＲＸ）３３に入力される。受信回路３３は、受信された無線信号を周波数シンセサイザ（ＳＹＮ）３４から出力された局部発振信号とミキシングして中間周波数信号に周波数変換（ダウンコンバート）する。そして、受信回路３３は、このダウンコンバートされた中間周波数信号を直交復調して受信ベースバンド信号を出力する。なお、周波数シンセサイザ３４から発生される局部発振信号の周波数は、制御部４１から出力される制御信号ＳＹＣによって指示される。
【００２６】
受信回路３３からの受信ベースバンド信号は、ＣＤＭＡ信号処理部３６に入力される。ＣＤＭＡ信号処理部３６は、図示せぬＲＡＫＥ受信機を備える。このＲＡＫＥ受信機では、受信ベースバンド信号に含まれる複数のパスがそれぞれの拡散符号（すなわち、拡散された受信信号の拡散符号と同一の拡散符号）で逆拡散処理される。そして、この逆拡散処理された各パスの信号は、位相が調停された後、コヒーレントＲａｋｅ合成される。Ｒａｋｅ合成後のデータ系列は、デインタリーブおよびチャネル復号（誤り訂正復号）が行われた後、２値のデータ判定が行われる。これにより、所定の伝送フォーマットの受信パケットデータが得られる。この受信パケットデータは、圧縮伸張処理部３７に入力される。
【００２７】
圧縮伸張処理部３７は、ＤＳＰ（Digital Signal Processor）などにより構成され、ＣＤＭＡ信号処理部３６から出力された受信パケットデータを図示せぬ多重分離部によりメディアごとに分離し、分離されたメディアごとのに対してそれぞれ復号処理を行う。例えば通話モードにおいては、受信パケットデータに含まれる通話音声などに対応するオーディオデータをスピーチコーデックにより復号する。また、例えばテレビ電話モードなどのように、受信パケットデータに動画像データが含まれていれば、この動画像データをビデオコーデックにより復号する。さらに、受信パケットデータがダウンロードコンテンツであれば、このダウンロードコンテンツを伸張した後、伸張されたダウンロードコンテンツを制御部４１に出力する。
【００２８】
復号処理により得られたディジタルオーディオ信号はＰＣＭコーデック３８に供給される。ＰＣＭコーデック３８は、圧縮伸張処理部３７から出力されたディジタルオーディオ信号をＰＣＭ復号し、ＰＣＭ復号後のアナログオーディオデータ信号を受話増幅器３９に出力する。このアナログオーディオ信号は、受話増幅器３９にて増幅された後、レシーバ１８により出力される。
【００２９】
圧縮伸張処理部３７によりビデオコーデックにて復号されたディジタル動画像信号は、制御部４１に入力される。制御部４１は、圧縮伸張処理部３７から出力されたディジタル動画像信号に基づく動画像を、図示せぬビデオＲＡＭ（例えばＶＲＡＭなど）を介してメインディスプレイ１７に表示させる。なお、制御部４１は、受信された動画像データだけでなく、ＣＣＤカメラ２０により撮像された動画像データに関しても、図示せぬビデオＲＡＭを介してメインディスプレイ１７に表示させることも可能である。
【００３０】
また、圧縮伸張処理部３７は、受信パケットデータが電子メールである場合、この電子メールを制御部４１に供給する。制御部４１は、圧縮伸張処理部３７から供給された電子メールを記憶部４２に記憶させる。そして、制御部４１は、ユーザによる入力部としての操作キー１４の操作に応じて、記憶部４２に記憶されているこの電子メールを読み出し、読み出された電子メールをメインディスプレイ１７に表示させる。
【００３１】
一方、通話モードにおいて、マイクロフォン１５に入力された話者（ユーザ）の音声信号（アナログオーディオ信号）は、送話増幅器４０により適正レベルまで増幅された後、ＰＣＭコーデック３８によりＰＣＭ符号化される。このＰＣＭ符号化後のディジタルオーディオ信号は、圧縮伸張処理部３７に入力される。また、ＣＣＤカメラ２０から出力される動画像信号は、制御部４１によりディジタル化されて圧縮伸張処理部３７に入力される。さらに、制御部４１にて作成されたテキストデータである電子メールも、圧縮伸張処理部３７に入力される。
【００３２】
圧縮伸張処理部３７は、ＰＣＭコーデック３８から出力されたディジタルオーディオ信号を所定の送信データレートに応じたフォーマットで圧縮符号化する。これにより、オーディオデータが生成される。また、圧縮伸張処理部３７は、制御部４１から出力されたディジタル動画像信号を圧縮符号化して動画像データを生成する。そして、圧縮伸張処理部３７は、これらのオーディオデータや動画像データを図示せぬ多重分離部で所定の伝送フォーマットに従って多重化した後にパケット化し、パケット化後の送信パケットデータをＣＤＭＡ信号処理部３６に出力する。なお、圧縮伸張処理部３７は、制御部４１から電子メールが出力された場合にも、この電子メールを送信パケットデータに多重化する。
【００３３】
ＣＤＭＡ信号処理部３６は、圧縮伸張処理部３７から出力された送信パケットデータに対し、送信チャネルに割り当てられた拡散符号を用いてスペクトラム拡散処理を施し、スペクトラム拡散処理後の出力信号を送信回路（ＴＸ）３５に出力する。送信回路３５は、スペクトラム拡散処理後の信号をＱＰＳＫ（Quadrature Phase Shift Keying）方式などのディジタル変調方式を使用して変調する。送信回路３５は、ディジタル変調後の送信信号を、周波数シンセサイザ３４から発生される局部発振信号と合成して無線信号に周波数変換（アップコンバート）する。そして、送信回路３５は、制御部４１により指示される送信電力レベルとなるように、このアップコンバートにより生成された無線信号を高周波増幅する。この高周波増幅された無線信号は、アンテナ共用器３２を介してアンテナ３１に供給され、このアンテナ３１から図示せぬ基地局に向けて送信される。
【００３４】
また、携帯電話機１は、外部メモリインタフェース４５を備えている。この外部メモリインタフェース４５は、メモリカード４６を着脱することが可能なスロットを備えている。メモリカード４６は、ＮＡＮＤ型フラッシュメモリカードやＮＯＲ型フラッシュメモリカードなどに代表されるフラッシュメモリカードの一種であり、１０ピン端子を介して画像や音声、音楽等の各種データの書き込み及び読み出しが可能となっている。さらに、携帯電話機１には、現在の正確な現在の時刻を測定する時計回路（タイマ）４７が設けられている。また、地上波ディジタルワンセグ受信部４８は、図示せぬ放送局からの地上波ディジタルワンセグ放送波を受信する。
【００３５】
制御部４１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４２からＲＡＭにロードされた各種のアプリケーションプログラムに従って各種の処理を実行するとともに、種々の制御信号を生成し、各部に供給することにより携帯電話機１を統括的に制御する。ＲＡＭは、ＣＰＵが各種の処理を実行する上において必要なデータなどを適宜記憶する。
【００３６】
記憶部４２は、例えば、電気的に書換えや消去が可能な不揮発性メモリであるフラッシュメモリ素子やＨＤＤ（Hard Disc Drive）などからなり、制御部４１のＣＰＵにより実行される種々のアプリケーションプログラムや種々のデータ群を格納している。
【００３７】
電源回路４４は、バッテリ４３の出力を基に所定の動作電源電圧Ｖｃｃを生成して各回路部に供給する。
【００３８】
ところで、最近の携帯電話機では、有機ＥＬを用いたディスプレイが搭載された携帯電話機１に限られず、ディスプレイの点灯状態に関して以下のような制御がなされている。すなわち、ディスプレイの点灯状態が明るく点灯している状態（以下、「全点灯状態」という。）から、ユーザによる操作がなされずに予め設定された所定の時間が経過すると、発光輝度を落とす等により全点灯状態に比べて暗めにした状態であるが、かつ、ディスプレイ上の文字やアイコンが識別可能な点灯状態（以下、「パーシャル状態」という。）に遷移し、さらにユーザによる操作がなされずに予め設定された所定の時間が経過すると、ディスプレイ表示が行われない状態（以下、「消灯状態」という。）に遷移するように制御される。
【００３９】
しかしながら、従来の、有機ＥＬを用いたディスプレイが搭載された携帯電話機においては、電界強度や電池残量などに関するアイコンの消去タイミングと、ディスプレイの点灯状態の遷移のタイミングがばらばらに制御されているため、場合によっては、ディスプレイの点灯状態が全点灯状態であるにもかかわらず、電界強度や電池残量などに関するアイコンが時間経過のために消去されてしまう。このような場合、ユーザが電界強度や電池残量などの確認をすることができなくなってしまい、ユーザにとって使い勝手が悪いものであった。
【００４０】
そこで、電界強度や電池残量などに関するアイコンの消去タイミングと、ディスプレイ（メインディスプレイ１７やサブディスプレイ２１）の点灯状態の遷移のタイミングとを同期させ、例えばディスプレイ（メインディスプレイ１７やサブディスプレイ２１）の点灯状態がパーシャル状態に遷移したタイミングに連動して、電界強度や電池残量などに関するアイコンを消去するようにする。これにより、ユーザは、画面上のアイコンを確認することが容易な全点灯状態にて電界強度や電池残量などに関するアイコンを確認することができるとともに、パーシャル状態に遷移するのと同時にこれらのアイコンを消去することができる。従って、有機ＥＬを用いたディスプレイの劣化を抑制しつつ、ユーザビリティを向上させることが可能となる。以下、この方法を用いた表示制御処理について説明する。
【００４１】
まず、この方法を用いた表示制御処理について説明する前に、ディスプレイ（メインディスプレイ１７やサブディスプレイ２１）の点灯状態が全点灯状態からパーシャル状態に遷移するまでの時間である照明時間を設定するための照明時間設定処理について説明する。
【００４２】
図４のフローチャートを参照して、図３の携帯電話機１における照明時間設定処理について説明する。この照明時間設定処理は、ユーザにより操作キー１４が操作されることで画面表示設定処理を開始するとの指示が受け付けられたとき、開始される。
【００４３】
ステップＳ１において、制御部４１は、ユーザにより操作キー１４が操作されることで画面表示設定処理を開始するとの指示が受け付けられたか否かを判定し、ユーザにより操作キー１４が操作されることで画面表示設定処理を開始するとの指示が受け付けられたと判定するまで待機する。
【００４４】
ステップＳ１においてユーザにより操作キー１４が操作されることで画面表示設定処理を開始するとの指示が受け付けられたと判定された場合、制御部４１はステップＳ２で、メインディスプレイ１７を制御し、メインディスプレイ１７の画面表示に関する種々の設定をするための画面表示設定画面を表示させる。メインディスプレイ１７は、制御部４１の制御に従い、例えば図５に示されるように、この画面表示設定画面５１−aを表示する。例えば図５の画面表示設定画面５１−aの場合、画面表示設定画面上には、メインディスプレイ１７の画面表示に関する設定として「１．壁紙設定」、「２．着信画面設定」、および「３．照明時間設定」が表示される。このとき、ユーザがその後に操作キー１４のうちの例えば確定キーなどを操作することで、いずれかのメインディスプレイ１７の画面表示に関する設定をすることを示すために、画面表示設定画面５１−ａ上においては、「１．壁紙設定」、「２．着信画面設定」、および「３．照明時間設定」のいずれかがフォーカスされる。図５の例の場合、「３．照明時間設定」がフォーカスされている。
【００４５】
ステップＳ３において、制御部４１は、ユーザにより操作キー１４のうちの例えば確定キーなどが操作されることにより、メインディスプレイ１７に表示される画面表示設定画面（画面表示設定画面５１−ａ）上において画面表示に関するいずれかの設定（「１．壁紙設定」、「２．着信画面設定」、または「３．照明時間設定」）の選択を受け付ける。
【００４６】
ステップＳ４において、制御部４１は、画面表示設定画面（画面表示設定画面５１−ａ）上において画面表示に関する「３．照明時間設定」の選択を受け付けると、その選択に従い、メインディスプレイ１７を制御し、メインディスプレイ１７の点灯状態が全点灯状態からパーシャル状態に遷移するまでの時間である照明時間を設定するための照明時間設定画面をメインディスプレイ１７に表示させる。メインディスプレイ１７は、制御部４１の制御に従い、例えば図５に示されるように、この照明時間設定画面５１−ｂを表示する。
【００４７】
図５の照明時間設定画面５１−ｂは、メッセージ表示欄５２、および照明時間の入力を受け付ける入力受付欄５３を有する。図５の例の場合、メッセージ表示欄５２には、メッセージとして「照明時間を入力してください」が表示される。これにより、ユーザは、これ以降の処理により、照明時間を入力することができることが分かる。また、入力受付欄５３には、メインディスプレイ１７の点灯状態が全点灯状態からパーシャル状態に遷移するまでの時間である照明時間（例えば０乃至６０秒の間の時間）を入力することが可能である。
【００４８】
ステップＳ５において、制御部４１は、ユーザにより操作キー１４が操作されることにより、照明時間設定画面（照明時間設定画面５１−ｂ）上にて照明時間の入力を受け付ける。例えばユーザにより操作キー１４が操作されることにより、例えば照明時間設定画面（照明時間設定画面５１−ｂ）上にて照明時間として「１２秒」の入力が受け付けられる。このとき、メインディスプレイ１７に表示される表示画面は、照明時間設定画面５１−ｂから照明時間設定画面５１−ｃに遷移する。
【００４９】
ステップＳ６において、制御部４１は、入力が受け付けられた照明時間に基づいて、メインディスプレイ１７の点灯状態が全点灯状態からパーシャル状態に遷移するまでの時間である照明時間を設定する。これにより、メインディスプレイ１７の点灯状態が全点灯状態からパーシャル状態に遷移するまでの時間である照明時間が例えば「１２秒間」と設定される。勿論、「１２秒間」以外の照明時間を設定するようにしてもよい。
【００５０】
ステップＳ７において、制御部４１は、設定された照明時間に関する設定データを記憶部４２に記憶させる。記憶部４２は、制御部４１の制御に従い、設定された照明時間に関する設定データを記憶する。この照明時間に関する設定データには、メインディスプレイ１７の点灯状態が全点灯状態からパーシャル状態に遷移するまでの時間である照明時間が例えば「１２秒間」と設定されたことを示すデータが含まれる。
【００５１】
このとき、メインディスプレイ１７に表示される表示画面は、照明時間設定画面５１−ｃから照明時間設定画面５１−ｄに遷移する。この照明時間設定画面５１−ｄには、「照明時間が設定されました」というメッセージが表示されており、これにより、ユーザは、これまでの操作により照明時間が設定されたことができることを知ることができる。
【００５２】
ステップＳ８において、制御部４１は、ユーザにより操作キー１４が操作されることで画面表示設定処理を終了するとの指示が受け付けられたか否かを判定し、ユーザにより操作キー１４が操作されることで画面表示設定処理を終了するとの指示が受け付けられたと判定するまで待機する。ステップＳ８において画面表示設定処理を終了するとの指示が受け付られたと判定された場合、照明時間設定処理を終了する。
【００５３】
次に、図６のフローチャートを参照して、図３の携帯電話機１における表示制御処理について説明する。なお、図６のフローチャートを用いて説明する表示制御処理においては、表示制御の対象としてメインディスプレイ１７を明示的に記載するが、勿論、サブディスプレイ２１に本発明を適用するようにしてもよい。
【００５４】
ステップＳ１１において、制御部４１は、記憶部４２に予め記憶されている照明時間に関する設定データを読み出す。この照明時間に関する設定データには、メインディスプレイ１７の点灯状態が全点灯状態からパーシャル状態に遷移するまでの時間である照明時間が例えば「１２秒間」と設定されたことを示すデータが含まれる。
【００５５】
ステップＳ１２において、制御部４１は、メインディスプレイ１７を制御し、メインディスプレイ１７を点灯させ、メインディスプレイ１７の点灯状態を全点灯状態にする。これにより、メインディスプレイの点灯状態が明るく点灯している状態となる。
【００５６】
例えば図７の表示画面５２−ａに示されるように、メインディスプレイ１７の点灯状態は全点灯状態とされるとともに、メインディスプレイ１７の表示画面の表示領域１には、アンテナによる携帯電話機１周辺の電界強度に関するアイコンα、メールが受信されたことを示すアイコンβ、および携帯電話機１の電池残量に関するアイコンγが全点灯状態にて表示されている。また、メインディスプレイ１７の表示画面の表示領域２には、現在の時刻を示す「１２：３４」の文字列が全点灯状態にて表示されている。
【００５７】
ステップＳ１３において、制御部４１は、操作キー１４を監視し、ユーザによりいずれかの操作キー１４が押下されたか否かを判定する。ステップＳ１３においてユーザによりいずれかの操作キー１４が押下されたと判定された場合、処理はステップＳ１２に戻り、ステップＳ１２にてメインディスプレイ１７の点灯状態が全点灯状態に維持される。
【００５８】
一方、ステップＳ１３においてユーザによりいずれかの操作キー１４が押下されていないと判定された場合、制御部４１はステップＳ１４で、時計回路４７を用いて、読み出された照明時間設定データに基づいて、ユーザによりいずれの操作キーも押下されずに、設定された照明時間（例えば「１２秒間」など）が経過したか否かを判定する。ステップＳ１４においてユーザによりいずれの操作キーも押下されていないが、設定された照明時間（例えば「１２秒間」など）がまだ経過していないと判定された場合、処理はステップＳ１３に戻り、ステップＳ１３以降の処理が実行される。
【００５９】
ステップＳ１４においてユーザによりいずれの操作キーも押下されずに、設定された照明時間（例えば「１２秒間」など）が経過したと判定された場合（すなわち、ユーザが設定された照明時間が経過するまでの間、いずれの操作キーも押下しなかった場合）、制御部４１はステップＳ１５で、メインディスプレイ１７を制御し、メインディスプレイ１７の点灯状態を全点灯状態からパーシャル状態にするとともに、このパーシャル状態への移行に同期して、電界強度や電池残量に関するアイコン（アイコンの表示）を消去する。これにより、メインディスプレイ１７の点灯状態が暗めの点灯状態となる。
【００６０】
例えば図７の表示画面５２−ｂに示されるように、メインディスプレイ１７の点灯状態が全点灯状態からパーシャル状態にされるとともに、このパーシャル状態への移行に同期して、図７の表示画面５２−ａの表示領域１に表示されていた電界強度に関するアイコンα、メールに関するアイコンβ、および電池残量に関するアイコンγ（アイコンの表示）が消去される。
【００６１】
ステップＳ１６において、制御部４１は、操作キー１４を監視し、ユーザによりいずれかの操作キー１４が押下されたか否かを判定する。ステップＳ１６においてユーザによりいずれかの操作キー１４が押下されたと判定された場合、処理はステップＳ１２に戻り、ステップＳ１２にてメインディスプレイ１７の点灯状態が全点灯状態に移行される。
【００６２】
一方、ステップＳ１６においてユーザによりいずれかの操作キー１４が押下されていないと判定された場合、制御部４１はステップＳ１７で、時計回路４７を用いて、ユーザによりいずれの操作キーも押下されずに、設定された消灯時間（例えば「２０秒間」など）が経過したか否かを判定する。ステップＳ１７においてユーザによりいずれの操作キーも押下されていないが、設定された消灯時間（例えば「２０秒間」など）がまだ経過していないと判定された場合、処理はステップＳ１６に戻り、ステップＳ１６以降の処理が実行される。
【００６３】
ステップＳ１７においてユーザによりいずれの操作キーも押下されずに、設定された消灯時間（例えば「２０秒間」など）が経過したと判定された場合、制御部４１はステップＳ１８で、インディスプレイ１７を制御し、メインディスプレイ１７の点灯状態をパーシャル状態から消灯状態にする。これにより、メインディスプレイ１７においてディスプレイ表示が行われない状態となる。
【００６４】
ステップＳ１９において、操作キー１４を監視し、ユーザによりいずれかの操作キー１４が押下されたか否かを判定し、ユーザによりいずれかの操作キー１４が押下されたと判定するまで待機する。これにより、ユーザによりいずれかの操作キー１４が押下されるまで、メインディスプレイ１７の点灯状態は消灯状態のまま維持される。一方、ステップＳ１９においてユーザによりいずれかの操作キー１４が押下されたと判定された場合、処理はステップＳ１２に戻り、メインディスプレイ１７が点灯され、メインディスプレイ１７の点灯状態が全点灯状態にされる。これにより、メインディスプレイの点灯状態が明るく点灯している状態となる。
【００６５】
本発明の実施形態においては、メインディスプレイ１７は少なくとも発光層を含む有機ＥＬにより構成され、待ち受け画面の第１の表示領域に、少なくとも１つ以上の指示情報（電界強度に関するアイコンα、メールに関するアイコンβ、および電池残量に関するアイコンγなど）を表示し、メインディスプレイ１７の点灯状態を第１の状態（全点灯状態）から第２の状態（パーシャル状態）にするまでの時間である照明時間を設定し、メインディスプレイ１７の点灯状態が第１の状態（全点灯状態）になされてから、設定された照明時間が経過したか否かを判定し、メインディスプレイ１７の点灯状態が第１の状態（全点灯状態）になされてから設定された照明時間が経過したと判定された場合、メインディスプレイ１７による点灯状態を第１の状態（全点灯状態）から第２の状態（パーシャル状態）にするとともに、第２の状態（パーシャル状態）への移行に同期してメインディスプレイにより第１の表示領域に表示されている指示情報の表示を消去するように制御することができる。
【００６６】
これにより、電界強度や電池残量などに関するアイコンの消去タイミングと、ディスプレイ（メインディスプレイ１７とサブディスプレイ２１）の点灯状態の遷移のタイミングがばらばらに（非同期に）制御されてしまうことで、ディスプレイ（メインディスプレイ１７とサブディスプレイ２１）の点灯状態が全点灯状態であるにもかかわらず、電界強度や電池残量などに関するアイコンが時間経過のために消去されてしまうことを防止し、ユーザが電界強度や電池残量などの確認をすることができなくなってしまうことを防止することができる。換言すれば、ディスプレイ（メインディスプレイ１７とサブディスプレイ２１）の点灯状態が、ユーザが画面に表示された種々の情報を容易に確認することが可能な全点灯状態であるときには、必ず、電界強度や電池残量などに関するアイコンに基づいて電界強度や電池残量などの確認を行うことができる。同時に、ディスプレイ（メインディスプレイ１７とサブディスプレイ２１）の点灯状態をパーシャル状態に移行したときに、電界強度や電池残量などに関するアイコン（の表示）を消去することができる。従って、有機ＥＬを用いたディスプレイ（メインディスプレイ１７とサブディスプレイ２１）の劣化を抑制しつつ、ユーザビリティを向上させることができる。
【００６７】
なお、図６のフローチャートを用いた表示制御処理においては、メインディスプレイ１７の点灯状態がパーシャル状態に移行したときに、メインディスプレイ１７の表示領域１に表示されている電界強度に関するアイコンα、メールに関するアイコンβ、および電池残量に関するアイコンγについて消去処理を行うようにしたが、このような場合に限られず、例えばマナーモードなどの携帯電話機１のモードに関するアイコンや、ブルートゥースや赤外線の使用状態に関するアイコン、非接触式ＩＣチップに関するアイコンなどの種々のアイコンについて本発明を適用するようにしてもよい。また、消去処理の対象となるアイコンは、メインディスプレイ１７の最上段の表示領域（表示領域１）に表示されているアイコンに限られず、最上段以外の表示領域に表示されるアイコンも含まれる。さらに言えば、メインディスプレイ１７の表示画面上に表示される壁紙と時計の表示以外の表示のすべてについて本発明を適用することができる。なお、メインディスプレイ１７の表示画面上に表示される壁紙と時計の表示以外のアイコンまたはピクトなどを「指示情報」と定義する。
【００６８】
なお、図４のフローチャートを用いた照明時間設定処理において、ユーザの好みに応じて照明時間として「０秒間」を設定し、メインディスプレイ１７の点灯状態をパーシャル状態とすることも可能であるが、この場合、単にパーシャル状態への移行に同期して電界強度や電池残量などに関するアイコン（の表示）を消去してしまうと、常に電界強度や電池残量などに関するアイコンが表示されないこととなり、ユーザの意向に従った設定であるとはいっても、ユーザビリティを考慮すると好ましいことではない。そこで、ユーザの好みに応じて照明時間として５秒間未満に設定された場合には、少なくとも５秒間は電界強度や電池残量などに関するアイコンを消去しないように制御するようにしてもよい。以下、この方法を用いた表示制御処理について説明する。
【００６９】
図８のフローチャートを参照して、図３の携帯電話機１における他の表示制御処理について説明する。なお、図８のステップＳ３１乃至Ｓ３２、ステップＳ３４乃至３６、およびステップＳ４２乃至Ｓ４５の処理は、図６のステップＳ１１乃至Ｓ１９と同様であり、その説明は繰り返しになるので省略する。
【００７０】
ステップＳ３３において、制御部４１は、読み出された照明時間設定データに基づいて、設定された照明時間が５秒間未満であるか否かを判定する。ステップＳ３３において読み出された照明時間設定データに基づいて、設定された照明時間が５秒間未満ではないと判定された場合、処理はステップＳ３４に進み、ステップＳ３４以降の処理が実行される。
【００７１】
一方、ステップＳ３３において読み出された照明時間設定データに基づいて、設定された照明時間が５秒間未満であると判定された場合、制御部４１はステップＳ３７で、操作キー１４を監視し、ユーザによりいずれかの操作キー１４が押下されたか否かを判定する。ステップＳ３７においてユーザによりいずれかの操作キー１４が押下されたと判定された場合、処理はステップＳ３２に戻り、ステップＳ３２にてメインディスプレイ１７の点灯状態が全点灯状態に維持される。
【００７２】
一方、ステップＳ３７においてユーザによりいずれかの操作キー１４が押下されていないと判定された場合、制御部４１はステップＳ３８で、時計回路４７を用いて、読み出された照明時間設定データに基づいて、ユーザによりいずれの操作キーも押下されずに、設定された照明時間（例えば「１２秒間」など）が経過したか否かを判定する。ステップＳ３８においてユーザによりいずれの操作キーも押下されていないが、設定された照明時間（例えば「１２秒間」など）がまだ経過していないと判定された場合、処理はステップＳ３７に戻り、ステップＳ３７以降の処理が実行される。
【００７３】
ステップＳ３８においてユーザによりいずれの操作キーも押下されずに、設定された照明時間（例えば「１２秒間」など）が経過したと判定された場合（すなわち、ユーザが設定された照明時間が経過するまでの間、いずれの操作キーも押下しなかった場合）、制御部４１はステップＳ３９で、メインディスプレイ１７を制御し、メインディスプレイ１７の点灯状態を全点灯状態からパーシャル状態にする。これにより、メインディスプレイ１７の点灯状態が暗めの点灯状態となる。例えば図７の表示画面５２−ｃに示されるように、メインディスプレイ１７の表示領域１にアイコンα乃至γが表示されたまま、メインディスプレイ１７の点灯状態が全点灯状態からパーシャル状態にされる。
【００７４】
ステップＳ４０において、制御部４１は、時計回路４７を用いて、メインディスプレイ１７の点灯状態が全点灯状態になされてから５秒間が経過したか否かを判定し、メインディスプレイ１７の点灯状態が全点灯状態になされてから５秒間が経過したと判定するまで待機する。なお、ステップＳ４０の判定処理では、制御部４１が全点灯状態になされてから５秒間が経過したか否かで判定するものに限らず、照明時間の経過後予め設定された所定の時間（例えば５秒間など）経過したか否かで判定してもよい。
【００７５】
ステップＳ４０においてメインディスプレイ１７の点灯状態が全点灯状態になされてから５秒間が経過したと判定された場合、制御部４１はステップＳ４１で、メインディスプレイ１７を制御し、メインディスプレイ１７の点灯状態を全点灯状態からパーシャル状態に移行した後、メインディスプレイ１７の点灯状態が全点灯状態になされてから５秒間が経過したのに同期して、電界強度や電池残量に関するアイコン（アイコンの表示）を消去する。
【００７６】
例えば図７の表示画面５２−ｃに示されるように、メインディスプレイ１７の点灯状態が全点灯状態からパーシャル状態に移行した後、メインディスプレイ１７の点灯状態が全点灯状態になされてから５秒間が経過したのに同期して、図７の表示画面５２−ｃの表示領域１にパーシャル状態で表示されていた電界強度に関するアイコンα、メールに関するアイコンβ、および電池残量に関するアイコンγ（アイコンの表示）が消去される。
【００７７】
その後、処理はステップＳ４２に進み、ステップＳ４２以降の処理が繰り返し実行される。
【００７８】
これにより、ユーザの好みに応じて照明時間として５秒間未満（例えば０秒間乃至４秒間）が設定された場合であっても、メインディスプレイ１７の点灯状態をユーザの好みの短時間でパーシャル状態とするとともに、少なくとも５秒間は電界強度や電池残量などに関するアイコンを消去しないように制御することができる。従って、このような場合、メインディスプレイ１７の点灯状態を全点灯状態からパーシャル状態に移行した後、メインディスプレイ１７の点灯状態が全点灯状態になされてから５秒間が経過したのに同期して、電界強度や電池残量に関するアイコン（アイコンの表示）を消去することができる。その結果、照明時間の長短にかかわらず、有機ＥＬを用いたディスプレイ（メインディスプレイ１７とサブディスプレイ２１）の劣化を抑制しつつ、ユーザビリティを向上させることができる。
【００７９】
ところで、待ち受け画面上の背景として表示される画像がユーザにより任意に設定された壁紙以外のデフォルトの壁紙であるような場合には、メインディスプレイの点灯状態をパーシャル状態にするときに同期して、電界強度などに関するアイコンの表示を消去するだけでなく、電界強度などに関するアイコンが表示される背景部分も消去し、背景部分を黒色で表示するようにしてもよい（すなわち、背景部分に対応するメインディスプレイ１７の点灯状態を部分的に（例えば長方形的になど。勿論、形状は任意にすることが可能である）消灯状態（黒色）にするようにしてもよい）。この場合の表示制御処理は図９のフローチャートに示される。なお、図９のステップＳ５１乃至Ｓ５４、ステップＳ５７乃至Ｓ６１は基本的には図６のステップＳ１１乃至Ｓ１９の処理と同様であり、その説明は繰り返しになるので適宜省略する。
【００８０】
ステップＳ５５において、制御部４１は、メインディスプレイ１７の待ち受け画面に表示されている壁紙はデフォルトの壁紙（すなわち、ユーザにより任意に取得された画像に関する壁紙ではなく、予め記憶部４２に記憶されている規定の壁紙）であるか否かを判定する。ステップＳ５５においてメインディスプレイ１７の待ち受け画面に表示されている壁紙はデフォルトの壁紙であると判定された場合、ステップＳ５６にて制御部４１は、メインディスプレイ１７を制御し、メインディスプレイ１７の点灯状態を全点灯状態からパーシャル状態にするとともに、このパーシャル状態への移行に同期して、電界強度や電池残量に関するアイコン（アイコンの表示）を消去するとともに、アイコンが表示される背景部分を黒色で表示させる。一方、メインディスプレイ１７の待ち受け画面に表示されている壁紙はデフォルトの壁紙ではないと判定された場合（すなわち、ユーザにより任意に取得された画像に関する壁紙であると判定された場合）、処理はステップＳ５７に進み、ステップＳ５７にて電界強度や電池残量に関するアイコン（アイコンの表示）のみが消去される。
【００８１】
これにより、有機ＥＬにて画像を表示する際に最も消費電力を少なくすることができる黒色で部分的に表示するようにしたので、有機ＥＬを用いたディスプレイ（メインディスプレイ１７とサブディスプレイ２１）の劣化を抑制しつつ、有機ＥＬを用いたディスプレイの消費電力を抑制しながら、ユーザビリティを向上させることができる。勿論、黒色以外の黒色に近いグレースケールを代わりに用いるようにしてもよい。
【００８２】
また、地上波ディジタルワンセグ放送波を携帯電話機１にて受信し、受信された地上波ディジタルワンセグ放送波による番組を表示する場合には、視聴中であるが故にメインディスプレイ１７の点灯状態をパーシャル状態にすることができないことから、図６の表示制御処理では電界強度などに関するアイコンの表示を消去することができず、アイコンの表示による画素の焼け付け（劣化）が生じてしまう。そこで、例えば図１０のフローチャートに示されるように、ステップＳ７３において、制御部４１は、地上波ディジタルワンセグ受信部４８を起動し、図示せぬ放送局から地上波ディジタルワンセグ放送波を受信中であるか否か判定し、図示せぬ放送局から地上波ディジタルワンセグ放送波を受信中であると判定された場合、制御部４１はステップＳ８１で、操作キー１４を監視し、ユーザによりいずれかの操作キー１４が押下されたか否かを判定する。ステップＳ８１においてユーザによりいずれかの操作キー１４が押下されたと判定された場合、処理はステップＳ７２に戻り、ステップＳ７２にてメインディスプレイ１７の点灯状態が全点灯状態に維持される。一方、ステップＳ８１においてユーザによりいずれかの操作キー１４が押下されていないと判定された場合、制御部４１はステップＳ８２で、地上波ディジタルワンセグ受信部４８が起動されてから、あるいは一旦受信が中断されてから予め設定された所定の時間（例えば５秒間など）、または地上波ディジタルワンセグ放送波が実際にメインディスプレイ１７に表示されてから予め設定された所定の時間（例えば５秒間など）が経過したか否かを判定し、ステップＳ８２にて地上波ディジタルワンセグ受信部４８の起動時などから予め設定された所定の時間が経過したと判定された場合、制御部４１はステップＳ８３で、メインディスプレイ１７を制御し、メインディスプレイ１７の点灯状態を全点灯状態にしたまま、電界強度や電池残量に関するアイコン（アイコンの表示）を消去する。そして、ステップＳ８４において、制御部４１は、ユーザにより操作キー１４が操作されることで地上波ディジタルワンセグ放送波の受信の終了が指示され、地上波ディジタルワンセグ放送波の受信が終了したか否かを判定する。地上波ディジタルワンセグ放送波の受信が終了したと判定された場合、処理はステップＳ７２に戻り、ステップＳ７２以降の処理が繰り返し実行される。一方、ステップＳ８２にて地上波ディジタルワンセグ受信部４８の起動時などから予め設定された所定の時間が経過していないと判定された場合、処理はステップＳ８１に戻り、ステップＳ８１以降の処理が繰り返し実行される。なお、図１０の他のステップの処理については、図６と基本的に同様である。
【００８３】
これにより、地上波ディジタルワンセグ放送波の視聴中であるが故にメインディスプレイ１７の点灯状態をパーシャル状態にすることができない場合であっても、有機ＥＬを用いたディスプレイ（メインディスプレイ１７とサブディスプレイ２１）の劣化を抑制しつつ、ユーザビリティを向上させることができる。
【００８４】
なお、地上波ディジタルワンセグ放送波を携帯電話機１にて受信し、受信された地上波ディジタルワンセグ放送波による番組を表示する際に、予め設定された予約視聴開始時刻に自動的に地上波ディジタルワンセグ受信部４８を起動して予約視聴を行う場合には、携帯電話機１は、予約視聴開始時刻の少し前（例えば１分間前など）に地上波ディジタルワンセグ受信部４８を起動する。そのため、図１０のステップＳ８２の判定処理においては、単に地上波ディジタルワンセグ受信部４８の起動から所定の時間が経過したかを判定してしまうと、予約視聴開始時刻前に、電界強度などに関するアイコンの表示が消去されてしまう。
【００８５】
そこで、地上波ディジタルワンセグ放送波の予約視聴の場合には、通常の視聴時などに用いられる所定の時間よりも長い所定の時間（例えば１分５秒間など）が経過したかを判定するようにしてもよい。これにより、地上波ディジタルワンセグ放送波を予約視聴する場合であっても、有機ＥＬを用いたディスプレイ（メインディスプレイ１７とサブディスプレイ２１）の劣化を抑制しつつ、ユーザビリティをより向上させることができる。
【００８６】
勿論、このような構成以外にも、例えば図１１のフローチャートに示されるように、ステップＳ１０２において制御部４１は、地上波ディジタルワンセグ受信部４８を用いた予約視聴であるか否かを判定し、ステップＳ１０２にて制御部４１が地上波ディジタルワンセグ受信部４８を用いた予約視聴であると判定した場合、制御部４１はステップＳ１０４で、いずれの操作キー１４も押下されずに、地上波ディジタルワンセグ放送波の予約視聴開始時刻から、所定の時間（例えば５秒間など）が経過したか否かを判定する。そして、ステップＳ１０４にていずれの操作キー１４も押下されずに、地上波ディジタルワンセグ放送波の予約視聴開始時刻から所定の時間が経過したと判定された場合、制御部４１はステップＳ１０５で、メインディスプレイ１７を制御し、メインディスプレイ１７の点灯状態を全点灯状態にしたまま、電界強度や電池残量に関するアイコン（アイコンの表示）を消去するようにしてもよい。なお、図１１の他のステップの処理については、図１０と基本的に同様である。また、この「予約視聴」には、予約録画の設定により、予約録画開始時刻に自動的に地上波ディジタルワンセグ受信部４８を起動し、録画とともにメインディスプレイ１７により表示する場合も含む。
【００８７】
なお、地上波ディジタルワンセグ放送波に限られず、例えば地上波ディジタル３セグメントラジオ放送波などにも適用するようにしてもよい。
【００８８】
なお、本発明は、携帯電話機１以外にも、ＰＤＡ（Personal Digital Assistant）、パーソナルコンピュータ、携帯型ゲーム機、携帯型音楽再生機、携帯型動画再生機、その他の情報処理装置にも適用することができる。
【００８９】
また、本発明の実施形態において説明した一連の処理は、ソフトウェアにより実行させることもできるが、ハードウェアにより実行させることもできる。
【００９０】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００９１】
【図１】本発明に係る情報処理装置に適用可能な携帯電話機の外観の構成を示す図。
【図２】本発明に係る情報処理装置に適用可能な携帯電話機の他の外観の構成を示す図。
【図３】本発明に係る情報処理装置に適用可能な携帯電話機の内部の構成を示すブロック図。
【図４】図３の携帯電話機における照明時間設定処理を説明するためのフローチャート。
【図５】照明時間設定処理の際に、図３のメインディスプレイに表示される表示画面の遷移を示す遷移図。
【図６】図３の携帯電話機における表示制御処理を説明するためのフローチャート。
【図７】表示制御処理の際に、図３のメインディスプレイに表示される表示画面の遷移を示す遷移図。
【図８】図３の携帯電話機における他の表示制御処理を説明するためのフローチャート。
【図９】図３の携帯電話機における他の表示制御処理を説明するためのフローチャート。
【図１０】図３の携帯電話機における他の表示制御処理を説明するためのフローチャート。
【図１１】図３の携帯電話機における他の表示制御処理を説明するためのフローチャート。
【符号の説明】
【００９２】
１…携帯電話機、１１…ヒンジ部、１２…第１の筐体、１３…第２の筐体、１４…操作キー、１５…マイクロフォン、１６…サイドキー、１７…液晶ディスプレイ、１８…レシーバ、１９a乃至１９d…磁気センサ、２０…ＣＣＤカメラ、２１…サブディスプレイ、３１…アンテナ、３２…アンテナ共用器（ＤＵＰ）、３３…受信回路（ＲＸ）、３４…周波数シンセサイザ（ＳＹＮ）、３５…送信回路（ＴＸ）、３６…ＣＤＭＡ信号処理部、３７…圧縮伸張処理部、３８…ＰＣＭコーデック、３９…受話増幅器、４０…送話増幅器、４１…制御部、４２…記憶部、４３…バッテリ、４４…電源回路、４５…外部メモリインタフェース、４６…メモリカード、４７…時計回路、４８…地上波ディジタルワンセグ受信部。
【図１】
0005115162.tif 000002
【図２】
0005115162.tif 000003
【図３】
0005115162.tif 000004
【図４】
0005115162.tif 000005
【図５】
0005115162.tif 000006
【図６】
0005115162.tif 000007
【図７】
0005115162.tif 000008
【図８】
0005115162.tif 000009
【図９】
0005115162.tif 000010
【図１０】
0005115162.tif 000011
【図１１】
0005115162.tif 000012